(57)【要約】      （修正有）【課題】ネクタイ結び目を作る必要がなく、ネクタイを早い装着し、外観効果を向上させるネクタイ及びネクタイ結び目装着具を提供する。【解決手段】裏面に複数のフック部が形成されているネクタイと、前記ネクタイの結び目を形成するネクタイ結び目形成部とを設けて、ネクタイ結目装着具を形成する。前記ネクタイ結び目形成部は、前方カバーと後方カバーによって形成され且つ前記ネクタイ結び目を収納するためのキャビティと、前記後方カバーに上下方向に形成されて前記ネクタイが出入りできるようにする開口と、前記開口の一方の側から他方の側へ延びて形成される挿入部とを含む。【選択図】図６
0003173225.tif 000002
【実用新案登録請求の範囲】
【請求項１】
裏面に複数のフック部（１１）が形成されているネクタイ（１）と、
前記ネクタイ（１）の結び目を形成するネクタイ結び目形成部（２）と、を具備するネクタイ結び目装着具において、
前記ネクタイ結び目形成部（２）は、前方カバー（２１）と後方カバー（２２）によって形成され且つ前記ネクタイ結び目を収納するためのキャビティ（２３）と、
前記後方カバー（２２）に上下方向に形成されて前記ネクタイ（１）が出入りできるようにする開口（２４）と、
前記開口（２４）の一方の側から他方の側へ延びて形成される挿入部（２５）と、を含むことを特徴とするネクタイ結び目装着具。
【請求項２】
前記挿入部（２５）は薄板体であり、その両側にはそれぞれ凹部（２６）が形成されていることを特徴とする請求項１に記載のネクタイ結び目装着具。
【請求項３】
記前方カバー（２１）の内壁には、ネクタイ結び目にディンプルを形成する突出部（２７）が形成されていることを特徴とする請求項１或いは２に記載のネクタイ結び目装着具。
【請求項４】
前記ネクタイ（１）の裏面に形成されている前記複数のフック部（１１）は、前記挿入部（２５）を挿入させる構造であり、
前記フック部（１１）の下側に位置する前記ネクタイ（１）の裏面には、シャツのボタンと係合する複数の係合穴（１２１）を有する係合部（１２）が形成されていることを特徴とする請求項３に記載のネクタイ結び目装着具。
【請求項５】
前記ネクタイ結び目形成部（２）は、上部の幅が広く、下部の幅が狭い形状に形成されていることを特徴とする請求項１に記載のネクタイ結び目装着具。
【請求項６】
前記前方カバー（２１）の２つの腰部は、後側へ曲げられ、中央部は、前側へ突出されていることを特徴とする請求項１或いは５に記載のネクタイ結び目装着具。
【請求項７】
ネクタイ（１）と、
前記ネクタイ（１）の結び目を形成するネクタイ結び目形成部（３）と、を具備するネクタイ結び目装着具において、
前記ネクタイ結び目形成部（３）は、前方カバー（３１）と後方カバー（３２）によって形成され且つ前記ネクタイ結び目を収納するためのキャビティ（３３）と、
前記後方カバー（３２）に上下方向に形成されて前記ネクタイ（１）が出入りできるようにする開口（３４）と、
前記後方カバー（３２）に形成されている固定手段（３５，３６）と、を含むことを特徴とするネクタイ結び目装着具。
【請求項８】
前記固定手段は、前記後方カバー（３２）に形成されているガイド溝（３５）と、前記ガイド溝（３５）にスライド可能に装着されているスライド部品（３６）と、を含むことを特徴とする請求項６に記載のネクタイ結び目装着具。
【請求項９】
前記前方カバー（３１）の内壁には、ネクタイを結ぶ時にネクタイ結び目にディンプルを形成する突出部（３７）が形成されていることを特徴とする請求項７或いは８に記載のネクタイ結び目装着具。
【請求項１０】
前記ネクタイ（１）の裏面の下端には、シャツのボタンと係合する複数の係合穴（１２１）を有する係合部（１２）が形成されていることを特徴とする請求項９に記載のネクタイ結び目装着具。
【請求項１１】
前記ネクタイ結び目形成部（２）は、上部の幅が広く、下部の幅が狭い形状に形成されていることを特徴とする請求項７に記載のネクタイ結び目装着具。
【請求項１２】
前記前方カバー（２１）の２つの腰部は、後側へ曲げられ、中央部は、前側へ突出されていることを特徴とする請求項７或いは１１に記載のネクタイ結び目装着具。
【請求項１３】
蝶ネクタイ本体と結び目から構成される前記蝶ネクタイと、
ネクタイ結び目形成部（４）と、を具備するネクタイ結び目装着具において、
前記ネクタイ結び目形成部（４）は、前方カバー（４１）と後方カバー（４２）と上方カバー（４６）と下方カバー（４７）によって形成され且つ前記蝶ネクタイの結び目を収納するキャビティ（４３）と、
蝶ネクタイが出入りできるように前記後方カバー（４２）に形成されている開口（４４）と、
前記後方カバー（４２）に形成されて蝶ネクタイの長さを調節する挿入部と、を含むことを特徴とするネクタイ結び目装着具。
【請求項１４】
前記ネクタイ結び目形成部（４）は、前記上方カバー（４６）及び／又は下方カバー（４７）の内壁に形成されている位置決め用部（４８）をさらに含むことを特徴とする請求項１３に記載のネクタイ結び目装着具。
【請求項１５】
前記前方カバー（４１）は、正面が外部へ突出する円弧面を有するカバーであることを特徴とする請求項１３に記載のネクタイ結び目装着具。
【考案の詳細な説明】
【技術分野】
【０００１】
本考案は、服装の装飾する飾品に関し、特にシャツ、洋装を装飾するネクタイ及びネクタイ結び目装着具に関する。
【背景技術】
【０００２】
ネクタイが現れる時間に対しては正確な見解がなく、記載されている資料によると約４００年前である。現代社会で、ネクタイは、服装を装飾する飾品であるだけではなく、職場、ビジネスなどのような場合でなければならない必需品になっている。
【０００３】
ネクタイメーカーでは、いろいろなデザインを考えているが、ほとんどが結び方、材質、パターンなどだけを変える方案に過ぎない。
【０００４】
ネクタイは、服装を装飾するだけでなく、正式的、礼儀的な意義を表すので、職場、ビジネスなどのような場合で広く使われている。
【０００５】
通常ネクタイとは、一端の幅が広く、他端の幅が狭いように布を断ち切って形成する服飾品の一種である。ネクタイを着用する時、ネクタイ本体をシャツの襟の下に置き、喉の前にネクタイの結び目を作る後、残るネクタイの両端を体の前に垂らす。しかし、ネクタイを着用する者にとっては、毎朝ネクタイを結ぶことは面倒である。また、ネクタイの結び方には極めて個人差があり、結び目を綺麗に整え、ネクタイをお洒落に着用している人は稀である。この問題を解決するために、ネクタイメーカーではワンタッチネクタイ或いはジッパーネクタイなどを開発した。
【０００６】
中国の特許公報第ＣＮ１４４０７０１Ａ号には、結んでいるネクタイ結び目を支持するネクタイ結び目支持装着具が公開されている。前記ネクタイ結び目支持装着具は、シャツの襟を挟む弾性治具と、所定のネクタイ結び目の形状に形成される本体部と、を含む。前記本体部は、垂直に形成される中央壁と、前記中央壁から外側へ延ばされる第一翼部と、第二翼部と、を含む。前記中央壁には、1つの突出部が形成されている。前記突出部は、前記中央壁を通過して前記弾性治具と係合する。前記突出部は、前記弾性治具との係合によって弾性治具を支持する。前記中央壁には、1つの凹部が形成されている。前記凹部は、前記弾性治具でシャツの襟を挟む場合、シャツの襟のボタンが入るようにする。前記中央壁の前部には、他の1つの凹部がさらに形成されている。前記凹部は、前記弾性治具と本体部が順調に係合するようにする。本考案のネクタイ結び目支持装着具は、ネクタイ結び目の形をきれいにし、ネクタイ結び目が垂下することを防ぐことができる。しかし、本考案のネクタイ結び目支持装着具は、構造が複雑であり、ネクタイを着用する前にネクタイ結び目を作る必要があると言う欠点がある。
【０００７】
上述する問題を解決するために、中国の特許公報第ＣＮ１１０４８５８Ｃ号ではネクタイ結び目を作る必要がないネクタイ結び目と、ネクタイ結び目を支持するネクタイ結び目支持装着具が公開されている。前記ネクタイ結び目支持装着具は、カバーと、前記カバーに係合される係合部品と、を含む。前記カバーの正面図は、腰部が凹んでいる略三角形に形成され、平面図は、略Ｕ形に形成されている。前記カバーの内側には、横桁と、摩擦部と、保護部が形成されている。前記係合部品は、前記カバーの内側に係合されている。前記係合部品が前記カバーの内側に係合される場合、前記係合部品の両側翼部が前記摩擦部に接触される。ネクタイを着用する場合、まず糸部の両端が順に保護部の下、摩擦部、横桁の下を通過するようにする。次に、前記ネクタイ結び目支持装着具の上で残るネクタイを使ってネクタイ結び目を作る。これにより、ネクタイ結び目の形をきれいにすることができる。しかし、本考案のネクタイ結び目支持装着具は、構造が複雑であり、糸部を使ってネクタイ結び目を作るので、使用が不便である。
【先行技術文献】
【特許文献】
【０００８】
【特許文献１】中国特許公開番号第ＣＮ１４４０７０１Ａ号公報
【特許文献２】中国特許登録番号第ＣＮ１１０４８５８Ｃ号公報
【考案の概要】
【考案が解決しようとする課題】
【０００９】
本考案の主な目的は、ネクタイ結び目を作る必要がなく、ネクタイを早い装着し、外観効果を向上させるネクタイ及びネクタイ結び目装着具を提供することにある。
【課題を解決するための手段】
【００１０】
上記課題を解決するために本考案では、裏面に複数のフック部が形成されているネクタイと、前記ネクタイの結び目を形成するネクタイ結び目形成部と、を具備するネクタイ結び目装着具をさらに提供する。前記ネクタイ結び目形成部は、キャビティと、開口と、挿入部と、を含む。前記キャビティは、前方カバーと後方カバーによって形成され、前記ネクタイ結び目を収納する。前記開口は、後方カバーに上下方向に形成されて、前記ネクタイが出入りできるようにする。前記挿入部は、前記開口の一方の側から他方の側へ延びて形成されている。
【００１１】
上述するネクタイ結び目装着具において、前記挿入部がネクタイ結び目形成部に一体に形成されている薄板体である。前記挿入部の根部の両側には、挿入部の柔軟性を向上させるための凹部が形成されている。
【００１２】
上述するネクタイ結び目装着具において、記前方カバーの内壁にネクタイを結ぶ時にネクタイ結び目にディンプルを形成する突出部が形成されている。
【００１３】
上述するネクタイ結び目装着具において、前記ネクタイの裏面に形成されている前記複数のフック部は、前記挿入部を挿入させることができる。前記フック部の下側に位置する前記ネクタイの裏面には、係合部が形成されている。前記係合部には、シャツのボタンと係合する複数の係合穴が形成されている。
【００１４】
上記課題を解決するために本考案では、ネクタイと、前記ネクタイの結び目を形成するネクタイ結び目形成部を具備するネクタイ結び目装着具を提供する。前記ネクタイ結び目形成部は、キャビティと、開口と、固定手段と、を含む。前記キャビティは、前方カバーと後方カバーによって形成され、前記ネクタイ結び目を収納する。前記開口は、前記ネクタイが出入りできるように前記後方カバーに上下方向に形成されている。前記固定手段は、前記後方カバーに形成されている。
【００１５】
上述するネクタイ結び目装着具において、前記固定手段は、前記後方カバーに形成されているガイド溝と、前記ガイド溝にスライド可能に装着されているスライド部品と、を含む。
【００１６】
上述するネクタイ結び目装着具において、前記前方カバーの内壁には、ネクタイを結ぶ時に、ネクタイ結び目にディンプルを形成する突出部が形成されている。
【００１７】
上述するネクタイ結び目装着具において、前記ネクタイの裏面の下端には、シャツのボタンと係合する複数の係合穴を有する係合部が形成されている。
【００１８】
上記課題を解決するために本考案では、蝶ネクタイ本体と結び目から構成される前記蝶ネクタイと、ネクタイ結び目形成部と、を具備するネクタイ結び目装着具をさらに提供する。前記ネクタイ結び目形成部は、キャビティと、開口と、挿入部と、を含む。前記キャビティは、前方カバーと、後方カバーと、上方カバーと、下方カバーと、によって形成され、前記蝶ネクタイの結び目を収納する。前記開口は、蝶ネクタイが出入りできるように前記後方カバーに形成されている。前記挿入部は、前記後方カバーに形成されて蝶ネクタイの長さを調節する。
【００１９】
上述するネクタイ結び目装着具において、前記ネクタイ結び目形成部は、前記上方カバー及び／又は下方カバーの内壁に形成されている位置決め用部をさらに含む。
【考案の効果】
【００２０】
本考案のネクタイ及びネクタイ結び目装着具は、以下の考案の効果を得ることができる。
（１）ネクタイ結び目を結ぶ必要がなく、ネクタイを綺麗に結ぶことができる。
（２）ネクタイ結び方を知らない人も本考案のネクタイ及びネクタイ結び目装着具を使って、ネクタイを綺麗に着用することができる。本考案のネクタイ結び目装着具は、ネクタイ結び目が垂下することを防ぐことができる。
（３）本考案のネクタイ結び目装着具がネクタイと違う材質を具備するので、着用するネクタイの視覚効果を向上させることができる。
（４）本考案のネクタイ結び目装着具の所定の位置に宝石或いはダイヤモンドが接着されているので、外観を向上させる一方、高級感を感じることができる。
（５）本考案のネクタイの係合部にシャツのボタンが係合されているので、ネクタイが乱れたり揺れたりすることを防ぐことができる。
【図面の簡単な説明】
【００２１】
【図１】本考案の実施形態に係るネクタイを示す図である。
【図２ａ】本考案の第一実施形態に係るネクタイ結び目装着具を示す正面図である。
【図２ｂ】本考案の第一実施形態に係るネクタイ結び目装着具を示す背面図である。
【図２ｃ】本考案の第一実施形態に係るネクタイ結び目装着具を示す表面図である。
【図２ｄ】本考案の第一実施形態に係るネクタイ結び目装着具を示す下面図である。
【図３ａ】本考案の第二実施形態に係るネクタイ結び目装着具を示す正面図である。
【図３ｂ】本考案の第二実施形態に係るネクタイ結び目装着具を示す背面図である。
【図３ｃ】本考案の第二実施形態に係るネクタイ結び目装着具を示す表面図である。
【図３ｄ】本考案の第二実施形態に係るネクタイ結び目装着具を示す下面図である。
【図４ａ】本考案の第三実施形態に係るネクタイ結び目装着具を示す正面図である。
【図４ｂ】本考案の第三実施形態に係るネクタイ結び目装着具を示す背面図である。
【図４ｃ】本考案の第三実施形態に係るネクタイ結び目装着具を示す側面図である。
【図５ａ】本考案の第一実施形態に係るネクタイの結び方を示す第一フローチャートである。
【図５ｂ】本考案の第一実施形態に係るネクタイの結び方を示す第二フローチャートである。
【図６】本考案の第一実施形態に係るネクタイの結び方を示す第三フローチャートである。
【図７】本考案の第二実施形態に係るネクタイの結び方を説明する図である。
【考案を実施するための形態】
【００２２】
本考案に係るネクタイは、服装を装飾するいろいろな服飾品を言う。例えば、洋服、シャツに使うネクタイ、スカーフ、ショールなどを言う。結んでいる本考案に係るネクタイは、３つの部分に分けることができる。即ち、最前の位置に置かれる前部と、シャツの襟の周囲に置かれる柄部と、前記前部に覆われている後部と、に分けることができる。
【００２３】
本考案のネクタイとネクタイ結び目（或いは、ネクタイノット、tie knot）に係る説明を簡単にするために、本実施形態では、頭部の幅が広く、尾部の幅が狭く、細長いネクタイを例にして説明する。他の形状を有するネクタイ、或いは他のスカーフ、ショールなどに対して説明しなかったが、本考案に属する内容に見ることができる。
【００２４】
本実施形態に係る蝶ネクタイは、蝶形結び目を結ぶ役割をする。図１は、本考案の実施形態に係るネクタイを示す図である。図１に示すネクタイ１は、頭部の幅が広く、尾部の幅が狭く、細長いネクタイである。前記ネクタイ１の裏面には、複数のフック部１１が波状に形成されている。前記フック部１１は、通常首の周りに巻かれるネクタイの狭部に形成されている。前記ネクタイ１の裏面に複数のフック部１１が形成されているので、以下で説明する挿入部２５をフック部１１に挿入させることができる。本実施形態では、所定の形状の織布或いは不織布を前記ネクタイ１の裏面に置く後、糸１１１などで縫って複数のフック部１１を形成する。前記ネクタイ１の裏面に形成されている各々のフック部１１に、挿入部２５を挿入させることができる。
【００２５】
前記ネクタイ１の狭部には、係合部１２が形成されている。前記係合部１２は、前記ネクタイ１の裏面の所定の位置に縫われている。前記係合部１２の上には、シャツのボタンと係合する複数の係合穴１２１が形成されている。前記ネクタイ１の狭部を固定させるために、前記ネクタイ１の裏面にネクタイ１が挿入できる環状部１３をさらに形成することができる。
【００２６】
図２ａ〜図２ｄは、本考案の第一実施形態に係るネクタイ結び目装着具を示す図である。本実施形態のネクタイ結び目装着具は、上部の幅が広く、下部の幅が狭いネクタイ結び目形成部２から構成されている。他の実施形態では、実際の需要に従って前記ネクタイ結び目形成部２を他の形状に設けることができる。前記ネクタイ結び目形成部２は、前方カバー２１と後方カバー２２によって形成され且つ前記ネクタイ結び目を収納するキャビティ２３（図２ｃを参照しなさい）と、前記ネクタイ１が出入りできるように前記後方カバー２２に上下方向に形成されている開口２４と、前記開口２４の一方の側から他方の側へ延びて形成される挿入部２５と、を含む。
【００２７】
前記ネクタイ１を着用する場合に、前記挿入部２５を前記フック部１１１に挿入させることができる。前記挿入部２５を前記フック部１１に挿入させると、前記ネクタイ１が動かないように固定する一方、ネクタイ１の長さを調節することができる。前記挿入部２５の柔軟性を高めるために、挿入部２５の根部の両側に凹部２６をさらに形成することができる。
【００２８】
前記前方カバー２１において、２つの腰部は、後側へ曲げられ、中央部は、前側へ突出されている。即ち、前方カバー２１の形状が前記ネクタイ結び目の形状に適応するように形成されている。本実施形態に係るネクタイ結び目装着具を飾るために、前記前方カバー２１の外表面にスクリーン印刷或いはレリーフ工程を実施して所定のパターンを形成するか、或いは、直接に前方カバー２１の外表面に宝石或いはダイヤモンドを接着させるか、或いは、直接に前方カバー２１の外表面に中空パターンを彫刻して形成することができる。
【００２９】
前記ネクタイ結び目にディンプルを形成し、ネクタイ結び目の形を綺麗にするために、前記前方カバー２１の内壁にディンプル形成用突出部２７を形成することができる。即ち、前記前方カバー２１の内壁に突出部２７が形成されているので、ネクタイを結ぶ時にネクタイ結び目にディンプルを形成し、ネクタイ結び目の形をきれいにすることができる。
【００３０】
以下、本考案のネクタイ結び目装着具を使って上述するネクタイ１を結ぶ方法に対して説明する。図５ａと図５ｂは、本考案のネクタイ結び目装着具を使う第一実施形態のネクタイの結び方を説明するフローチャートである。ネクタイを結ぶ方法は、以下のステップを含む。
【００３１】
まず、図５ａに示すように、幅の広いネクタイの一端を幅の狭いネクタイの他端に一回り巻く。
次は、図５ｂに示すように、ネクタイの両側を抓んで前記ネクタイ結び目装着具のキャビティ２３に入れる。
次に、図５ｂに示すように、首囲に当たるように前記ネクタイの長さを調節する。
次に、図５ｂに示すように、前記ネクタイ結び目装着具の挿入部２５を前記ネクタイ１のフック部１１に挿入させる。
【００３２】
図６は、本考案のネクタイ結び目装着具を使う第二実施形態のネクタイの結び方を説明する図である。図５ａ、図５ｂに示すネクタイの結び方と図６に示すネクタイの結び方が違うところは、図６のネクタイ結び方で幅の広いネクタイの一端を幅の狭いネクタイの他端に一回り巻かず、ネクタイの一端と他端が重なっていることである。
【００３３】
図６のネクタイ結び方で、ネクタイの一端と他端を重ねる後に直接にネクタイ結び目装着具に入れることができるので、ネクタイを早く、綺麗に着用することができる。且つ、前記ネクタイ結び目装着具の前方カバー２１に宝石或いはダイヤモンドが接着されているので、ネクタイ結び目装着具の外観の視覚効果を向上させることができる。
【００３４】
図６と図５ｃに示すように、係合部１２が形成されているネクタイの狭部を前記ネクタイの環状部１３に挿入する後、シャツのボタンをネクタイの係合部１２に係合させることができる。シャツのボタンがネクタイの係合部１２に係合されているので、ネクタイが乱れたり揺れたりすることを防ぐことができる。従って、ネクタイピンを使う必要がなくなる。
【００３５】
図３ａ〜図３ｄは、本考案の第二実施形態に係るネクタイ結び目装着具を示す図である。本実施形態のネクタイ結び目装着具は、上部の幅が広く、下部の幅が狭いネクタイ結び目形成部３から構成されている。他の実施形態では、実際の需要に従って前記ネクタイ結び目形成部３を他の形状に設けることができる。
【００３６】
前記ネクタイ結び目形成部３は、前方カバー３１と後方カバー３２によって形成され、且つ前記ネクタイ結び目を収納するためのキャビティ３３（図３ｃを参照しなさい）と、前記後方カバー３２に上下方向に形成されて前記ネクタイが出入りできるようにする開口３４（図３ｂを参照しなさい）と、前記後方カバー３２に形成されているネクタイ固定手段と、を含む。
【００３７】
図３ｂに示すように、前記ネクタイ固定手段は、前記後方カバー３２に形成されているガイド溝３５と、前記ガイド溝３５にスライド可能に装着されているスライド部品３６と、を含む。前記ガイド溝３５の中でスライドするスライド部品３６は、前記キャビティ３３の中に入っているネクタイを押して固定することができる。即ち、前記キャビティ３３の上部の幅が広く、下部の幅が狭いので、前記スライド部品３６が前記ガイド溝３５の下部へスライドする時、前記キャビティ３３の中のネクタイをガイド溝３５の下部に固定させることができる。
【００３８】
前記ネクタイ結び目形成部３の前方カバー３１の２つの腰部は、後側へ曲げられ、中央部は、前側へ突出されている。前記前方カバー３１の内壁には、ネクタイ結び目にディンプルを形成するためのディンプル形成用突出部３７が形成されている。
【００３９】
本実施形態のネクタイ３の狭部には、係合部１２が形成されている。即ち、前記ネクタイ３の裏面の所定の位置に係合部１２が縫われている。前記係合部１２には、シャツのボタンを係合させる複数の係合穴１２１が形成されている。係合部１２が形成されているネクタイ３の狭い柄部をネクタイ３の裏面に形成されている環状部１３に挿入することができる。本実施形態のネクタイ３には、フック部１１が形成されていない。
【００４０】
前方カバー３１の正面を飾るために、前方カバー３１の正面にスクリーン印刷或いはレリーフ工程を実施して所定のパターンを形成するか、或いは、直接に前方カバー３１の外表面に宝石或いはダイヤモンドを接着させるか、或いは直接に前方カバー３１の外表面に中空パターンを彫刻して形成することができる。前記後方カバー３２の裏面は、人間工学（Human Factors）に合う曲面に形成されている。
【００４１】
図４ａ〜図４ｃは、本考案の第三実施形態に係るネクタイ結び目装着具を示す図である。本実施形態のネクタイ結び目装着具は、蝶ネクタイに適用するネクタイ結び目形成部４から構成されている。前記ネクタイ結び目形成部４は、キャビティ４３と、開口４４と、挿入部４５と、を含む。
【００４２】
前記図４ｃに示すように、前記キャビティ４３は、前方カバー４１と後方カバー４２と上方カバー４６と下方カバー４７とによって形成され、前記蝶ネクタイの結び目を収納する。前記図４ｂと図４ｃに示すように、前記開口４４は、蝶ネクタイの結び目が出入りできるように前記後方カバー４２に形成されている。前記挿入部４５は、前記後方カバー４２に形成されて蝶ネクタイの長さを調節する一方、蝶ネクタイの結び目を押す役割をする。本実施形態の挿入部４５は、前記後方カバー４２の辺縁から所定の方向へ延びて形成されている。
【００４３】
前記ネクタイ結び目形成部４は、前記上方カバー４６及び／又は下方カバー４７の内壁に形成されている位置決め用部４８をさらに含む。前記位置決め用部４８は、前記キャビティ４３に入っている蝶ネクタイの結び目の位置を決める。
【００４４】
本実施形態の前方カバー４１は、正面が外部へ突出する円弧面を有する前方カバーにすることが好ましい。
【００４５】
本実施形態の蝶ネクタイの裏面には、前記挿入部４５を挿入させて、蝶ネクタイの長さを調節する複数のフック部（不図示）が形成されている。
【００４６】
前方カバー４１の正面を飾るために、前方カバー４１の正面にスクリーン印刷或いはレリーフ工程を実施して所定のパターンを形成するか、或いは前方カバー４１の正面に宝石或いはダイヤモンドを接着させるか、或いは直接に前方カバー４１の正面に中空パターンを彫刻して形成することができる。前記後方カバー４２と挿入部４５によって形成されるネクタイ結び目装着具の裏面は、人間工学（Human Factors）に合う曲面に形成されている。
【００４７】
本考案のネクタイ結び目装着具は、ネクタイ結び目の作りを簡単にするだけでなく、ネクタイ結び目の形をきれいにすることができる。且つ、ネクタイ結び目装着具の前方カバーの正面に所定のパターンが形成されているか、或いは宝石或いはダイヤモンドが接着されているので、外観を向上させる一方、高級感を感じることができる。
【００４８】
且つ、ネクタイの係合部がシャツのボタンに係合されているので、ネクタイピンを使わなくても、ネクタイが乱れたり揺れたりすることを防ぐことができる。
【符号の説明】
【００４９】
１      ネクタイ
１１    フック部
１１１  糸
１２    係合部
１２１  係合穴
１３  環状部
２    ネクタイ結び目形成部
２１  前方カバー
２２  後方カバー
２３  キャビティ
２４  開口
２５  挿入部
２６  凹部
２７  ディンプル形成用突出部
３    ネクタイ結び目形成部
３１  前方カバー
３２  後方カバー
３３  キャビティ
３４  開口
３５  ガイド溝
３６  スライド部品
３７  ディンプル形成用突出部
４    ネクタイ結び目形成部
４１  前方カバー
４２  後方カバー
４３  キャビティ
４４  開口
４５  挿入部
４６  上方カバー
４７  下方カバー
４８  位置決め用部
【図１】
0003173225.tif 000003
【図２ａ】
0003173225.tif 000004
【図２ｂ】
0003173225.tif 000005
【図２ｃ】
0003173225.tif 000006
【図２ｄ】
0003173225.tif 000007
【図３ａ】
0003173225.tif 000008
【図３ｂ】
0003173225.tif 000009
【図３ｃ】
0003173225.tif 000010
【図３ｄ】
0003173225.tif 000011
【図４ａ】
0003173225.tif 000012
【図４ｂ】
0003173225.tif 000013
【図４ｃ】
0003173225.tif 000014
【図５ａ】
0003173225.tif 000015
【図５ｂ】
0003173225.tif 000016
【図６】
0003173225.tif 000017
【図７】
0003173225.tif 000018